(57)【要約】【課題】操作を簡便にすることができる端末装置及び情報処理方法を提供すること。【解決手段】本発明に係る携帯端末１では、検出部１１によって、ユーザによる操作の終点を検出し、振動制御部１２による振動制御を開始してから操作の終点までの間における振動回数を検出する。そして、情報処理部１３によって、この振動回数に応じたアラーム時刻の登録を実行する。よって、ユーザは、筺体を持った状態で筺体の振動回数を数え、所望の振動回数に達した時点で操作を終わらせることにより、アラーム時刻の登録が実行されるように携帯端末１を操作できるため、タッチパネルや操作ボタン等の細かい操作が不要となり、煩雑さを低減できる。従って、操作を簡便にすることができる。【選択図】図１
2011210147.tif 000002
【特許請求の範囲】
【請求項１】
ユーザにより操作される操作部と、前記ユーザにより持たれる筺体を振動させる振動部と、を有する端末装置であって、
前記ユーザによる前記操作部の操作に応じて前記筺体を一定間隔で振動させるように前記振動部の振動制御を行う振動制御手段と、
前記ユーザによる前記操作の終点を検出し、前記振動制御手段による前記振動制御が開始されてから前記終点までの間における振動回数を検出する検出手段と、
前記検出手段によって検出される前記振動回数に応じた情報処理を実行する処理手段と、
を備えることを特徴とする、端末装置。
【請求項２】
前記ユーザによる前記操作部の操作に基づいて入力される情報を記憶する記憶部を備え、
前記処理手段は、前記検出手段によって検出される前記振動回数に基づいて前記情報を生成し、生成した前記情報を前記記憶部に記憶させることを特徴とする、請求項１記載の端末装置。
【請求項３】
前記処理手段は、前記検出手段によって検出される前記振動回数に基づいて曜日、月、日、時、分のうち少なくとも１つに関する情報を含む時刻情報を生成し、生成した前記時刻情報を前記記憶部に記憶させることを特徴とする、請求項２記載の端末装置。
【請求項４】
前記検出手段は、前記ユーザによる前記操作の始点を検出し、
前記振動制御手段は、前記検出手段によって前記始点が検出された場合に、前記筺体を所定の振動パターンで振動させ、その後前記振動制御を開始し、前記検出手段によって前記終点が検出された場合に、前記振動制御を終了することを特徴とする、請求項１〜３のいずれか一項記載の端末装置。
【請求項５】
前記操作部はタッチパネルであり、
前記検出手段は、前記タッチパネルに触れる前記ユーザの手が前記タッチパネルから離れた時点を前記終点として検出することを特徴とする、請求項１〜４のいずれか一項記載の端末装置。
【請求項６】
前記操作部は操作ボタンであり、
前記検出手段は、前記ユーザによる前記操作ボタンの長押し操作の長押し終了点を前記終点として検出することを特徴とする、請求項１〜４のいずれか一項記載の端末装置。
【請求項７】
ユーザにより操作される操作部と、前記ユーザにより持たれる筺体を振動させる振動部と、を有する端末装置による情報処理方法であって、
前記ユーザによる前記操作部の操作に応じて前記筺体を一定間隔で振動させるように前記振動部の振動制御を行う振動制御ステップと、
前記ユーザによる前記操作の終点を検出し、前記振動制御ステップにおける前記振動制御が開始されてから前記終点までの間における振動回数を検出する検出ステップと、
前記検出ステップにおいて検出される前記振動回数に応じた情報処理を実行する処理ステップと、
を備えることを特徴とする、情報処理方法。
【発明の詳細な説明】
【技術分野】
【０００１】
本発明は、端末装置及び情報処理方法に関する。
【背景技術】
【０００２】
従来、下記特許文献１に記載されるように、ユーザの入力操作によって登録されたアラーム時刻に呼び出し音やバイブレータによるアラームを行う端末装置が知られている。通常、このような端末装置では、操作ボタンのテンキー等を用いてユーザによるアラーム時刻の入力が行われる。
【先行技術文献】
【特許文献】
【０００３】
【特許文献１】特開２００７−１５０５４６号公報
【発明の概要】
【発明が解決しようとする課題】
【０００４】
しかしながら、上記した従来の端末装置では、所望のテンキーを見つけて押すと共に画面を確認するというような細かい操作を必要とするため、例えば端末装置を使い慣れていないユーザや視力の弱いユーザにとって、操作しにくい場合があった。
【０００５】
そこで本発明は、操作を簡便にすることができる端末装置及び情報処理方法を提供することを目的とする。
【課題を解決するための手段】
【０００６】
上記目的を達成するために、本発明に係る端末装置は、ユーザにより操作される操作部と、ユーザにより持たれる筺体を振動させる振動部と、を有する端末装置であって、ユーザによる操作部の操作に応じて筺体を一定間隔で振動させるように振動部の振動制御を行う振動制御手段と、ユーザによる操作の終点を検出し、振動制御手段による振動制御が開始されてから終点までの間における振動回数を検出する検出手段と、検出手段によって検出される振動回数に応じた情報処理を実行する処理手段と、を備えることを特徴とする。
【０００７】
この端末装置によれば、検出手段によって、ユーザによる操作の終点が検出され、振動制御手段による振動制御が開始されてから操作の終点までの間における振動回数が検出される。そして、処理手段によって、この振動回数に応じた情報処理が実行される。よって、ユーザは、筺体を持った状態で筺体の振動回数を数え、所望の振動回数に達した時点で操作を終わらせることにより、情報処理が実行されるように端末装置を操作できる。このため、操作部の細かい操作が不要となり、煩雑さを低減できる。従って、操作を簡便にすることができる。
【０００８】
ここで、ユーザによる操作部の操作に基づいて入力される情報を記憶する記憶部を備え、処理手段は、検出手段によって検出される振動回数に基づいて情報を生成し、生成した情報を記憶部に記憶させることが好ましい。
【０００９】
この発明によれば、検出手段によって検出される振動回数に基づいて情報が生成され、記憶部に記憶させられるので、簡便な操作で情報の入力を行うことができる。
【００１０】
また、処理手段は、検出手段によって検出される振動回数に基づいて曜日、月、日、時、分のうち少なくとも１つに関する情報を含む時刻情報を生成し、生成した時刻情報を記憶部に記憶させると、アラーム時刻や時計の時刻等を簡便な操作で登録することができる。
【００１１】
また、検出手段は、ユーザによる操作の始点を検出し、振動制御手段は、検出手段によって始点が検出された場合に、筺体を所定の振動パターンで振動させ、その後振動制御を開始し、検出手段によって終点が検出された場合に、振動制御を終了することが好ましい。
【００１２】
この発明によれば、検出手段によってユーザによる操作の始点が検出された場合に、振動制御部によって、筺体が所定の振動パターンで振動させられ、その後振動制御が開始する。よって、ユーザは、端末装置に情報処理を実行させるタイミングを適宜決めることができ、端末装置をより一層操作しやすくなる。また、筺体は、所定の振動パターンで振動した後に一定間隔で振動するため、ユーザは、一定間隔の振動がどの時点から始まるのかを容易に把握することができ、振動回数をカウントしやすくなる。従って、ユーザはより正確な操作をすることができる。
【００１３】
また、操作部はタッチパネルであり、検出手段は、タッチパネルに触れるユーザの手がタッチパネルから離れた時点を終点として検出する構成とすれば、ユーザはタッチパネルから手を離すことで所望の情報処理が実行されるので、上記した簡便な操作が好適に実現される。
【００１４】
また、操作部は操作ボタンであり、検出手段は、ユーザによる操作ボタンの長押し操作の長押し終了点を終点として検出する構成とすれば、ユーザが長押し操作を終了することで所望の情報処理が実行されるので、上記した簡便な操作が好適に実現される。
【００１５】
ところで、本発明は、上記のように端末装置の発明として記述できる他に、以下のように情報処理方法の発明としても記述することができる。これはカテゴリが異なるだけで、実質的に同一の発明であり、同様の作用及び効果を奏する。
【００１６】
また、本発明に係る情報処理方法は、ユーザにより操作される操作部と、ユーザにより持たれる筺体を振動させる振動部と、を有する端末装置による情報処理方法であって、ユーザによる操作部の操作に応じて筺体を一定間隔で振動させるように振動部の振動制御を行う振動制御ステップと、ユーザによる操作の終点を検出し、振動制御ステップにおける振動制御が開始されてから終点までの間における振動回数を検出する検出ステップと、検出ステップにおいて検出される振動回数に応じた情報処理を実行する処理ステップと、を備えることを特徴とする。
【発明の効果】
【００１７】
本発明によれば、操作を簡便にすることができる。
【図面の簡単な説明】
【００１８】
【図１】本発明の一実施形態に係る携帯端末の構成を示すブロック図である。
【図２】図１の携帯端末におけるアラーム時刻登録の一例を示す図である。
【図３】図１の携帯端末のハードウェア構成を示す図である。
【図４】図１の携帯端末におけるアラーム時刻登録の処理手順を示すフローチャートである。
【図５】図３に続く処理手順を示すフローチャートである。
【図６】図１の携帯端末におけるアラーム時刻登録の他の例を示す図である。
【図７】アラーム時刻登録結果の表示例を示す図である。
【発明を実施するための形態】
【００１９】
以下、本発明の一実施形態に係る携帯端末及び携帯端末による情報処理方法について、図面を参照しながら説明する。なお、図面の説明において同一要素には同一符号を付し、重複する説明は省略する。
【００２０】
図１に示すように、携帯端末１は、タッチパネル（操作部）２と、バイブレータ（振動部）３と、制御部１０と、アラーム部（記憶部）５と、ディスプレイ６とを備えている。
【００２１】
タッチパネル２は、例えば静電式のタッチパネルであり、ディスプレイ６と一体に設けられている。タッチパネル２は、ユーザが指（手）をタッチパネル２の表面に接触させることにより、ユーザによって操作される。タッチパネル２は、ディスプレイ６に表示される所定の接触領域にユーザの指が触れていると、接触状態を検出する。タッチパネル２は、接触状態を検出すると、接触状態情報を生成し、生成した接触状態情報を制御部１０に出力する。また、タッチパネル２は、ディスプレイ６に表示される所定の接触領域にユーザの指が触れていないと、非接触状態を検出する。タッチパネル２は、非接触状態を検出すると、非接触状態情報を生成し、生成した非接触状態情報を制御部１０に出力する。更に、タッチパネル２は、ユーザのタッチパネル２への接触によって、アラーム部５へのアラーム時刻の記憶処理（以下、「アラーム時刻の登録」ともいう）を開始する操作が行われた場合、その旨を示すアラーム時刻登録開始情報を生成し、生成したアラーム時刻登録開始情報を制御部１０に出力する。タッチパネル２によるアラーム時刻登録開始情報の出力は、制御部１０がアラーム時刻の登録モードに移行する際のトリガとなる。
【００２２】
バイブレータ３は、ユーザにより把持される筺体８（図７参照）に内蔵されて、筺体８を振動させるためのものである。バイブレータ３は、例えば振動モータである。バイブレータ３は、制御部１０により制御されて、筺体８を所定の振動パターンで振動させ、或いは、筺体８を一定間隔で振動させる。また、バイブレータ３は、制御部１０により制御されて、振動を停止する。
【００２３】
アラーム部５は、アラーム時刻にアラームを行うことにより、ユーザに対してアラーム時刻の到来を知らせるためのものである。アラーム部５は、アラーム時刻を示すアラーム時刻情報を記憶する。アラーム部５は、アラーム時刻情報を記憶するためのメモリ部、カレンダー機能部、時計機能部、音声又は振動を発生させるようにスピーカ（図示せず）又はバイブレータ３を制御するアラーム制御部等を有している。アラーム部５は、アラーム時刻の登録において、ユーザによるタッチパネル２の操作により、制御部１０によって生成されるアラーム時刻情報をアラーム部５に記憶させられる。このアラーム時刻情報は、例えば曜日、月、日、時、分に関する情報を含んでいる。アラーム部５は、アラーム時刻情報に示される時刻であることを時計機能部に基づいて検出すると、音声又は振動によりアラームを行う。
【００２４】
ディスプレイ６は、従来と同様の液晶ディスプレイである。ディスプレイ６は、アラーム部５が制御部１０によってアラーム時刻情報を記憶させられるのと同時に、制御部１０によって制御されてアラーム時刻を表示する。すなわち、ディスプレイ６は、アラーム時刻の登録時にそのアラーム時刻をユーザに対して表示する機能を有している。
【００２５】
制御部１０は、ユーザによるタッチパネル２の操作に応じて情報処理を実行する。本実施形態にあっては、制御部１０は、ユーザによるタッチパネル２の操作に応じてアラーム時刻の登録を行う。より具体的には、制御部１０は、タッチパネル２から出力される接触状態情報又は非接触状態情報を取得する。制御部１０は、取得した接触状態情報又は非接触状態情報に基づいて所定の処理を行うことにより、アラーム時刻情報を生成し、生成したアラーム時刻情報をアラーム部５に記憶させる。制御部１０は、検出部１１と、振動制御部１２と、情報処理部１３とを有している。
【００２６】
検出部１１は、アラーム時刻の登録において、ユーザによるタッチパネル２の操作の始点及び終点を検出する検出手段である。ここで、操作の始点とは、ユーザによって情報処理（具体的にはアラーム時刻の登録）の実行を開始する操作が行われた後、バイブレータ３による振動を開始させるための操作が行われる時点である。言い換えれば、操作の始点とは、振動回数のカウントを開始させるように予め設定された特定の操作が、ユーザによってなされる時点である。また、操作の終点とは、ユーザによって情報処理（具体的にはアラーム時刻の登録）の実行を開始する操作が行われた後、バイブレータ３による振動を終了させるための操作が行われる時点である。言い換えれば、操作の終点とは、振動回数のカウントを終了させるように予め設定された特定の操作が、ユーザによってなされる時点である。
【００２７】
より具体的には、操作の始点とは、アラーム時刻の登録において、ユーザの指がタッチパネル２に触れていない状態から触れている状態へと変わった時点をいう。また、操作の終点とは、アラーム時刻の登録において、ユーザの指がタッチパネル２に触れている状態から触れていない状態へと変わった時点をいう。検出部１１は、タッチパネル２から出力される接触状態情報又は非接触状態情報を逐次取得する。そして、検出部１１は、取得する情報が非接触状態情報から接触状態情報へと変わったことを検出すると、その時点を始点として検出する。また、検出部１１は、取得する情報が接触状態情報から非接触状態情報へと変わったことを検出すると、その時点を終点として検出する。言い換えれば、検出部１１は、ユーザの手がタッチパネル２に触れた時点を始点として検出し、タッチパネル２に触れるユーザの手がタッチパネル２から離れた時点を終点として検出する。
【００２８】
更に、検出部１１は、始点を検出すると、始点を検出した旨を示す始点検出情報を生成し、生成した始点検出情報を振動制御部１２に出力する。また、検出部１１は、終点を検出すると、終点を検出した旨を示す終点検出情報を生成し、生成した終点検出情報を振動制御部１２に出力する。このように、検出部１１は、始点及び終点を検出する毎に始点検出情報及び終点検出情報を各々生成し、生成した始点検出情報及び終点検出情報を振動制御部１２に逐次出力する。このとき、検出部１１は、その始点及び終点を検出したのが、アラーム時刻の登録が開始されてから何度目であるかの回数を示す検出回数情報を生成する。例えば、検出部１１がアラーム時刻の登録が開始されてから最初に始点及び終点を検出した場合、検出回数情報に示される回数は「１」となる。
【００２９】
制御部１０では、検出部１１から振動制御部１２に始点検出情報が出力されると、振動制御部１２によって、筺体８が所定の振動パターンで振動させられ、その後、筺体８を一定間隔で振動させる振動制御が開始される。また、検出部１１から振動制御部１２に終点検出情報が出力されると、振動制御部１２によって振動制御が終了させられる（詳しくは後述）。
【００３０】
更に、検出部１１は、振動制御部１２に始点検出情報を出力してから終点検出情報を出力するまでの間にバイブレータ３によって筺体８が振動させられた振動回数を示す振動回数情報を振動制御部１２から取得する。ここで、振動回数は、バイブレータ３が駆動してから停止するまでを１回とした場合を基準とする。このように、検出部１１は、振動制御部１２による振動制御が開始されてから終点までの間における振動回数を検出する検出手段としての機能も有している。検出部１１は、振動制御部１２から振動回数情報を取得すると、取得した振動回数情報に上記の検出回数情報を添付して情報処理部１３に出力する。
【００３１】
振動制御部１２は、ユーザによるタッチパネル２の操作に応じて筺体８を振動させるようにバイブレータ３の制御を行う振動制御手段である。より具体的には、振動制御部１２は、検出部１１から始点検出情報を取得する。振動制御部１２は、検出部１１から始点検出情報を取得すると、筺体８を所定の振動パターンで振動させるようにバイブレータ３を制御し、その後、筺体８を一定間隔で振動させる振動制御を開始する。また、振動制御部１２は、検出部１１から終点検出情報を取得する。振動制御部１２は、検出部１１から終点検出情報を取得すると、バイブレータ３の振動制御を終了する。
【００３２】
振動制御部１２によるバイブレータ３の振動制御について図２を参照しながらより詳しく説明する。図２（ａ）は、アラーム時刻の登録における振動パターンを示す図、図２（ｂ）は、図２（ａ）の振動パターンに対するユーザのタッチパネル２への接触状態を示す図である。図２（ａ）に示すように、振動制御部１２は、検出部１１から始点検出情報を取得すると、筺体８を所定の振動パターンで振動させるようにバイブレータ３を制御する。図２（ａ）に示す例では、振動制御部１２は、時間Ｔ１で始点検出情報を取得し、時間Ｔ１から時間Ｔ２までの間（例えば２秒間）、連続して筺体８を振動させるようバイブレータ３を制御する。この時間Ｔ１から時間Ｔ２までの間の連続する振動は、曜日、月、日、時、分のうちの１つに関する情報を入力するための一定間隔の振動がその後開始することをユーザに知らせるためのものである。以下、ある振動制御においてユーザにより入力される曜日、月、日、時、分のうちの１つに関する情報を「入力対象時刻情報」ともいう。ユーザは、入力対象時刻情報を入力する間、筺体８の振動回数を数えながらタッチパネル２に触った状態を維持する。
【００３３】
振動制御部１２は、時間Ｔ１から時間Ｔ２までの間連続して筺体８を振動させた後、時間Ｔ２から時間Ｔ３までの間（例えば０．５秒間）、バイブレータ３による振動を停止させる。なお、この時間Ｔ２から時間Ｔ３までの間隔は、時間Ｔ１から時間Ｔ２までの間よりも短くてもよく、長くてもよい。そして、振動制御部１２は、時間Ｔ３になると、筺体８を一定間隔で振動させるようにバイブレータ３の振動制御を開始する。振動制御部１２は、例えば、０．５秒間筺体８を振動させ、０．５秒間筺体８の振動を停止するのを１サイクルとし、検出部１１から終点検出情報を取得するまで同じサイクルを繰り返す。図２に示す例では、振動制御部１２は、時間Ｔ４で２サイクル目の振動が停止した後、時間Ｔ５での終点検出情報の取得により一定間隔の振動制御を終了する。振動制御部１２は、振動制御を開始してから終了するまでの振動回数（図２に示す例では２回）を示す振動回数情報を生成し、生成した振動回数情報を検出部１１に出力する。
【００３４】
情報処理部１３は、検出部１１によって検出される振動回数に応じた情報処理を実行する処理手段である。情報処理部１３は、検出部１１によって検出される振動回数に基づいてアラーム時刻情報を生成し、生成したアラーム時刻情報をアラーム部５に記憶させる。情報処理部１３は、アラーム時刻の登録において、検出部１１から出力される振動回数情報及びこれに添付された検出回数情報に基づいて、所定の入力対象時刻情報を生成し、生成した入力対象時刻情報をアラーム部５に記憶させる。
【００３５】
より詳しく説明すると、情報処理部１３は、検出回数情報に示される回数と、曜日、月、日、時、分のそれぞれとの対応関係を記憶している。例えば、情報処理部１３は、検出回数情報に示される回数が「１」である場合には「月」、「２」である場合には「日」、「３」である場合には「時」、「４」である場合には「分」を対応させて記憶している。
【００３６】
また、情報処理部１３は、振動回数情報に示される回数と、曜日、月、日、時、分のそれぞれにおける具体的な曜日又は値との対応関係を記憶している。例えば、情報処理部１３は、検出回数情報に示される回数が「１」であって振動回数情報に示される回数が「２」である場合、「２月」を対応させて記憶している。更には、情報処理部１３は、検出回数情報に示される回数に「曜日」を対応させて記憶している場合、振動回数情報に示される回数が「２」であると、例えば「火曜日」を対応させて記憶している。情報処理部１３は、このような対応関係に基づいて、入力対象時刻情報を生成する。
【００３７】
情報処理部１３は、月、日、時、分の各値を示す入力対象時刻情報をアラーム部５に記憶させると、アラーム時刻の登録が完了した旨を示す情報と共に、アラーム時刻の登録結果をディスプレイ６に表示させる。ここで、情報処理部１３は、アラーム部５のカレンダー機能部を参照することにより、月、日に対応する曜日を取得し、アラーム時刻の登録結果に曜日を含めてディスプレイ６に表示させる。なお、情報処理部１３は、曜日、時、分の各々に関する入力対象時刻情報をアラーム部５に記憶させてもよい。情報処理部１３は、「月、日、時、分」の各々に関する入力対象時刻情報、又は、「曜日、時、分」の各々に関する入力対象時刻情報をアラーム部５に記憶させると、制御部１０によるアラーム時刻の登録を終了する。
【００３８】
図３は、携帯端末１のハードウェア構成を示す図である。図３に示すように、携帯電話機１は、ＣＰＵ（Central  Processing  Unit）１０１、主記憶装置であるＲＡＭ（Random  Access  Memory）１０２、及びＲＯＭ（Read  Only  Memory）１０３、無線通信モジュール１０５、ハードディスク等の補助記憶装置１０６等のハードウェアを備えるコンピュータを備えて構成される。これらの構成要素が、上述したタッチパネル２、バイブレータ３、アラーム部５、及びディスプレイ６と共に動作することにより、携帯電話機１の上述した機能が発揮される。
【００３９】
次に、携帯端末１により実行されるアラーム時刻の登録（情報処理方法）について説明する。携帯端末１による処理は、図４及び図５に示すフローチャートに従い制御部１０によって実行される。
【００４０】
まず、検出部１１によって、アラーム時刻の登録開始のトリガとなるアラーム時刻登録開始情報が取得される。これにより、制御部１０はアラーム時刻の登録モードに移行する。次に、検出部１１によって接触状態情報が取得され、ユーザのタッチパネル２への接触（始点）が検出される（Ｓ１；図２の時間Ｔ１）。次に、検出部１１から振動制御部１２に始点検出情報が出力され、振動制御部１２によって、筺体８が所定の振動パターンで振動させられ、筺体８が２秒間振動する（Ｓ２；図２の時間Ｔ１〜Ｔ２）。次に、振動制御部１２によって、一定間隔の振動制御が行われる（Ｓ３；振動制御ステップ，図２の時間Ｔ３〜）。
【００４１】
次に、検出部１１によって、非接触状態情報が取得され、ユーザのタッチパネル２への非接触（終点）が検出される（Ｓ４；図２の時間Ｔ５）。次に、検出部１１から振動制御部１２に終点検出情報が出力され、振動制御部１２によって、一定間隔の振動制御が終了させられ、筺体８の振動が停止する。また、ここでは、検出部１１によって検出回数情報が生成されると共に、振動制御部１２によって振動回数情報が生成され、生成された振動回数情報が検出部１１に出力される（Ｓ５；検出ステップ）。例えば、図２に示した例では、回数「１」を示す検出回数情報（「月」に対応）が生成されると共に、回数「２」を示す振動回数情報が生成される。
【００４２】
次に、検出部１１によって、振動回数情報に検出回数情報が添付されて情報処理部１３に出力される。そして、情報処理部１３によって、振動回数情報及びこれに添付された検出回数情報に基づいて、所定の入力対象時刻情報が生成され、生成された入力対象時刻情報がアラーム部５に記憶させられる（Ｓ６；処理ステップ）。例えば、図２に示した例では、「２月」を示す入力対象時刻情報がアラーム部５に記憶させられる。
【００４３】
次に、検出部１１によって、接触状態情報が取得され、ユーザのタッチパネル２への接触（始点）が検出される（Ｓ７）。次に、検出部１１から振動制御部１２に始点検出情報が出力され、振動制御部１２によって、筺体８が所定の振動パターンで振動させられ、筺体８が２秒間振動する（Ｓ８）。次に、振動制御部１２によって、一定間隔の振動制御が行われる（Ｓ９；振動制御ステップ）。
【００４４】
次に、検出部１１によって、非接触状態情報が取得され、ユーザのタッチパネル２への非接触（終点）が検出される（Ｓ１０）。次に、検出部１１から振動制御部１２に終点検出情報が出力され、振動制御部１２によって、一定間隔の振動制御が終了させられ、筺体８の振動が停止する。また、ここでは、検出部１１によって検出回数情報が生成されると共に、振動制御部１２によって振動回数情報が生成され、生成された振動回数情報が検出部１１に出力される（Ｓ１１；検出ステップ）。例えば、ここでは、回数「２」を示す検出回数情報（「日」に対応）が生成される。
【００４５】
次に、検出部１１によって、振動回数情報に検出回数情報が添付されて情報処理部１３に出力される。そして、情報処理部１３によって、振動回数情報及びこれに添付された検出回数情報に基づいて、所定の入力対象時刻情報が生成され、生成された入力対象時刻情報がアラーム部５に記憶させられる（Ｓ１２；処理ステップ）。例えば、図２に示した例と同様の場合、振動回数情報には回数「２」が示されており、「２日」を示す入力対象時刻情報がアラーム部５に記憶させられる。
【００４６】
次に、図５に示す処理に進み、検出部１１によって、接触状態情報が取得され、ユーザのタッチパネル２への接触（始点）が検出される（Ｓ１３）。次に、検出部１１から振動制御部１２に始点検出情報が出力され、振動制御部１２によって、筺体８が所定の振動パターンで振動させられ、筺体８が２秒間振動する（Ｓ１４）。次に、振動制御部１２によって、一定間隔の振動制御が行われる（Ｓ１５；振動制御ステップ）。
【００４７】
次に、検出部１１によって、非接触状態情報が取得され、ユーザのタッチパネル２への非接触（終点）が検出される（Ｓ１６）。次に、検出部１１から振動制御部１２に終点検出情報が出力され、振動制御部１２によって、一定間隔の振動制御が終了させられ、筺体８の振動が停止する。また、ここでは、検出部１１によって検出回数情報が生成されると共に、振動制御部１２によって振動回数情報が生成され、生成された振動回数情報が検出部１１に出力される（Ｓ１７；検出ステップ）。例えば、ここでは、回数「３」を示す検出回数情報（「時」に対応）が生成される。
【００４８】
次に、検出部１１によって、振動回数情報に検出回数情報が添付されて情報処理部１３に出力される。そして、情報処理部１３によって、振動回数情報及びこれに添付された検出回数情報に基づいて、所定の入力対象時刻情報が生成され、生成された入力対象時刻情報がアラーム部５に記憶させられる（Ｓ１８；処理ステップ）。例えば、図２に示した例と同様の場合、振動回数情報には回数「２」が示されており、「２時」を示す入力対象時刻情報がアラーム部５に記憶させられる。
【００４９】
次に、検出部１１によって、接触状態情報が取得され、ユーザのタッチパネル２への接触（始点）が検出される（Ｓ１９；図６の時間Ｔ６）。以下の説明では、図６に示す例について説明する。次に、検出部１１から振動制御部１２に始点検出情報が出力され、振動制御部１２によって、筺体８が所定の振動パターンで振動させられ、筺体８が２秒間振動する（Ｓ２０；図６の時間Ｔ６〜Ｔ７）。次に、振動制御部１２によって、一定間隔の振動制御が行われる（Ｓ２１；振動制御ステップ，図６の時間Ｔ８〜）。
【００５０】
次に、検出部１１によって、非接触状態情報が取得され、ユーザのタッチパネル２への非接触（終点）が検出される（Ｓ２２；図６の時間Ｔ１０）。次に、検出部１１から振動制御部１２に終点検出情報が出力され、振動制御部１２によって、一定間隔の振動制御が終了させられ、筺体８の振動が停止する。また、ここでは、検出部１１によって検出回数情報が生成されると共に、振動制御部１２によって振動回数情報が生成され、生成された振動回数情報が検出部１１に出力される（Ｓ２３；検出ステップ）。例えば、図６に示す例では、時間Ｔ９で１０サイクル目の振動が停止した後、時間Ｔ１０での終点検出情報の取得により一定間隔の振動制御が終了させられる。この場合、回数「４」を示す検出回数情報（「分」に対応）が生成されると共に、回数「１０」を示す振動回数情報が生成される。
【００５１】
次に、検出部１１によって、振動回数情報に検出回数情報が添付されて情報処理部１３に出力される。そして、情報処理部１３によって、振動回数情報及びこれに添付された検出回数情報に基づいて、所定の入力対象時刻情報が生成され、生成された入力対象時刻情報がアラーム部５に記憶させられる（Ｓ２４；処理ステップ）。例えば、図６に示す例では、「１０分」を示す入力対象時刻情報がアラーム部５に記憶させられる。
【００５２】
次に、情報処理部１３によって、アラーム部５のカレンダー機能部が参照されて、月、日に対応する曜日が取得され、アラーム時刻の登録結果がディスプレイ６に表示される（Ｓ２５）。以上説明した例では、図７に示すように、「２月２日（火）２時１０分登録完了」と表示される。そして、情報処理部１３によって、アラーム時刻の登録が終了させられる。
【００５３】
以上一連の処理により、携帯端末１によるアラーム時刻の登録が実行される。
【００５４】
以上説明した本実施形態の携帯端末１によれば、検出部１１によって、ユーザによる操作の終点が検出され、振動制御部１２による振動制御が開始されてから操作の終点までの間における振動回数が検出される。そして、情報処理部１３によって、この振動回数に応じたアラーム時刻の登録が実行される。よって、ユーザは、筺体８を持った状態で筺体８の振動回数を数え、所望の振動回数に達した時点で操作を終わらせることにより、アラーム時刻の登録が実行されるように携帯端末１を操作できる。このため、タッチパネルや操作ボタン等の細かい操作が不要となり、煩雑さを低減できる。従って、操作を簡便にすることができる。
【００５５】
また、検出部１１によって検出される振動回数に基づいて入力対象時刻情報が生成され、記憶部に記憶させられるので、簡便な操作でアラーム時刻の入力を行うことができる。
【００５６】
また、情報処理部１３は、検出部１１によって検出される振動回数に基づいて曜日、月、日、時、分のうち少なくとも１つに関する情報を含むアラーム時刻情報を生成し、生成した時刻情報をアラーム部５に記憶させるので、アラーム時刻や時計の時刻等を簡便な操作で登録することができる。
【００５７】
また、検出部１１によってユーザによる操作の始点が検出された場合に、振動制御部１２によって、筺体８が所定の振動パターンで振動させられ、その後振動制御が開始するので、ユーザは、携帯端末に入力対象時刻情報の記憶処理を実行させるタイミングを適宜決めることができ、携帯端末１をより一層操作しやすくなる。また、筺体８は、所定の振動パターンで振動した後に一定間隔で振動するため、ユーザは、一定間隔の振動が始まる時点（例えば図２の時間Ｔ３、図６の時間Ｔ８参照）を容易に把握することができ、振動回数をカウントしやすくなる。従って、ユーザはより正確な操作をすることができる。
【００５８】
また、検出部１１は、タッチパネル２に触れるユーザの手がタッチパネル２から離れた時点を終点として検出するので、ユーザがタッチパネル２から手を離すことで所望の情報処理が実行され、上記した簡便な操作が好適に実現される。
【００５９】
以上、本発明の一実施形態に係る携帯端末１について説明したが、本発明は上記実施形態に限られるものではない。例えば、上記実施形態では、操作部はタッチパネル２である場合について説明したが、操作部は操作ボタンであってもよい。この場合、ユーザによる操作ボタンの長押し操作の長押し開始点を始点として検出し、長押し操作の長押し終了点を終点として検出する構成とすれば、ユーザが長押し操作を開始・終了することで所望の情報処理が実行されるので、上記した簡便な操作が好適に実現される。
【００６０】
また、上記実施形態では、検出部１１によって検出される始点及び終点は、ユーザの手がタッチパネル２に触れていない状態と触れている状態との変化時点である場合について説明したが、始点及び終点の間においてユーザがタッチパネル２に触り続けている場合に限られず、ユーザがタッチパネル２を瞬間的に触る時点を始点或いは終点にしてもよい。この場合、ユーザのタッチパネル２への最初の接触を検出して振動処理を開始し、これに続くユーザのタッチパネル２への接触を検出して振動制御を終了してもよい。
【００６１】
また、上記実施形態では、検出部１１から振動制御部１２に始点検出情報が出力された場合に、振動制御部１２によって、筺体８が所定の振動パターンで振動させられ、その後、筺体８を一定間隔で振動させる振動制御が開始される場合について説明したが、例えば、アラーム時刻登録開始情報の出力によってアラーム時刻の登録が開始された後、始点検出情報とは無関係に制御部１０によって順次振動制御が繰り返され、終点検出情報に基づく入力対象時刻情報の記憶処理が進められてもよい。
【００６２】
また、上記実施形態では、制御部１０において実行される処理がアラーム時刻の登録である場合について説明したが、これに限られず、例えば、振動回数情報に示される回数と通信相手に関する情報との対応関係を情報処理部１３に記憶させることで、特定の通信相手を呼び出す処理を行ってもよい。或いは、振動回数情報に示される回数とプログラムとの対応関係を情報処理部１３に記憶させることで、特定のプログラムを実行する処理を行ってもよい。
【符号の説明】
【００６３】
１…携帯端末（端末装置）、２…タッチパネル（操作部）、３…バイブレータ（振動部）、５…アラーム部（記憶部）、８…筺体、１１…検出部（検出手段）、１２…振動制御部、１３…情報処理部（処理手段）。
【図１】
2011210147.tif 000003
【図２】
2011210147.tif 000004
【図３】
2011210147.tif 000005
【図４】
2011210147.tif 000006
【図５】
2011210147.tif 000007
【図６】
2011210147.tif 000008
【図７】
2011210147.tif 000009